(57)【要約】      （修正有）【課題】移動中に使用する場合にも、コントローラーでモバイル端末を操作することができるとともに、長時間使用が手首にもたらす不快感を回避することができる充電装置及び携帯型ゲーム機を提供する。【解決手段】充電装置は、モバイル端末に充電する移動電源本体２０、及びそれぞれ移動電源本体の両端に設けられる二つのコントローラー３０を含み、移動電源本体には、モバイル端末に取り外し可能に接続する接続構造（吸着部材４０）が設けられる。充電装置は、移動電源本体よりモバイル端末に充電することで、モバイル端末の使用時間を長くし、二つのコントローラーがそれぞれ移動電源本体の両端に設けられて組み合わせられることで、手首にもたらす不快感を回避する。【選択図】図１
0003219062.tif 000002
【実用新案登録請求の範囲】
【請求項１】
モバイル端末に用いられる充電装置であって、
前記充電装置は、モバイル端末に充電する移動電源本体、及びそれぞれ前記移動電源本体の両端に設けられる二つのコントローラーを含み、前記移動電源本体には、前記モバイル端末に取り外し可能に接続するための接続構造が設けられる、ことを特徴とする充電装置。
【請求項２】
前記接続構造は、前記移動電源本体の一側面に設けられる吸着部材または係止部材であることを特徴とする請求項１に記載の充電装置。
【請求項３】
二つの前記コントローラーは、それぞれ前記移動電源本体の両端に取り外し可能に取り付けられることを特徴とする請求項１に記載の充電装置。
【請求項４】
前記コントローラーと移動電源本体のうちの一方には、摺動レールが設けられ、前記コントローラーと移動電源本体のうちの他方には、前記摺動レールと摺動するように組み合わせる摺動溝が設けられることを特徴とする請求項３に記載の充電装置。
【請求項５】
前記摺動レールの両外側面には、定位溝が更に設けられ、前記摺動溝の両内側面には、前記定位溝と係合される定位突起が更に設けられ、前記定位突起は、前記定位溝に係合されることを特徴とする請求項４に記載の充電装置。
【請求項６】
前記コントローラーは、更に磁力吸着構造を介して前記移動電源本体に吸着接続されることを特徴とする請求項４に記載の充電装置。
【請求項７】
前記磁力吸着構造は、前記摺動レールに設けられる第一磁力吸着体、及び前記第一摺動溝内に設けられる第二磁力吸着体を含むことを特徴とする請求項６に記載の充電装置。
【請求項８】
前記第一磁力吸着体は、前記摺動レールの一端に設けられ、前記第二磁力吸着体は、前記摺動溝の一端に設けられ、及び/又は、
前記第一磁力吸着体及び/又は前記第二磁力吸着体は磁石であることを特徴とする請求項７に記載の充電装置。
【請求項９】
二つの前記コントローラーには、共に係止部が設けられ、二つの前記係止部と前記移動電源本体の一側面とが取り囲んで前記モバイル端末を挟持する挟持キャビティが形成され、前記係止部には、シリコーンパッドが更に設けられることを特徴とする請求項１に記載の充電装置。
【請求項１０】
電源、キーボード、ゲーム画面を含む携帯型ゲーム機であって、
前記携帯型ゲーム機は、更に、請求項１〜９に記載のモバイル端末に用いられる充電装置を含み、前記移動電源本体は、接続構造によりゲーム画面の底部に取り付けられることにより前記電源に電気的接続されて前記電源に充電することを特徴とする携帯型ゲーム機。
【考案の詳細な説明】
【技術分野】
【０００１】
本考案は、電子アクセサリ構造の技術分野に関し、特にモバイル端末に用いられる充電装置及び携帯型ゲーム機に関する。
【背景技術】
【０００２】
携帯型ゲーム機、携帯電話、タブレット及びPOSマシン等のモバイル端末は、薄型化のためにそのバッテリー容量は通常限定されている。例えば、Switch（登録商標）という携帯型ゲーム機のバッテリー容量は、たったの４３６０mAhであるため、ユーザの長時間使用要求を満たすことができないと共に、Switch（登録商標）という携帯型ゲーム機の移動中に使用する場合も、コントローラーが設けられていないため、長時間使用によりユーザの手首に不快感をもたらす。
【考案の概要】
【考案が解決しようとする課題】
【０００３】
従来技術の問題を克服するために、本考案の目的は、従来のモバイル端末中のSwitch（登録商標）という携帯型ゲーム機のバッテリーの容量が低過ぎるため、ユーザの長時間使用要求を満たすことができないと共に、Switch（登録商標）という携帯型ゲーム機の移動中に使用する場合も、コントローラーが設けられていないため、長時間使用によりユーザの手首に不快感をもたらすという技術問題を解決することである。
【課題を解決するための手段】
【０００４】
本考案は、モバイル端末に充電する移動電源本体、及びそれぞれ前記移動電源本体の両端に設けられる二つのコントローラーを含み、前記移動電源本体には、前記モバイル端末に取り外し可能に接続するための接続構造が設けられる、モバイル端末に用いられる充電装置を提供する。
【０００５】
更に、前記接続構造は、前記移動電源本体の一側面に設けられる吸着部材または係止部材である。
【０００６】
更に、二つの前記コントローラーは、それぞれ前記移動電源本体の両端に取り外し可能に取り付けられる。
【０００７】
更に、前記コントローラーと移動電源本体のうちの一方には、摺動レールが設けられ、前記コントローラーと移動電源本体のうちの他方には、前記摺動レールと摺動するように組み合わせられる摺動溝が設けられる。
【０００８】
更に、前記摺動レールの両外側面には、定位溝が更に設けられ、前記摺動溝の両内側面には、前記定位溝と係合される定位突起が更に設けられ、前記定位突起は、前記定位溝に係合される。
【０００９】
更に、前記コントローラーは、更に磁力吸着構造を介して前記移動電源本体に吸着接続される。
【００１０】
更に、前記磁力吸着構造は、前記摺動レールに設けられる第一磁力吸着体、及び前記第一摺動溝内に設けられる第二磁力吸着体を含む。
【００１１】
更に、前記第一磁力吸着体は、前記摺動レールの一端に設けられ、前記第二磁力吸着体は、前記摺動溝の一端に設けられ、及び/又は、
前記第一磁力吸着体及び/又は前記第二磁力吸着体は磁石である。
【００１２】
二つの前記コントローラーには、共に係止部が設けられ、二つの前記係止部と前記移動電源本体の一側面とが取り囲んで前記モバイル端末を挟持する挟持キャビティが形成され、前記係止部には、シリコーンパッドが更に設けられる
【００１３】
一方、本考案は、更に電源、キーボード、ゲーム画面、電源、キーボード、ゲーム画面を含む携帯型ゲーム機を提供し、前記携帯型ゲーム機は、更に、請求項１〜９に記載のモバイル端末に用いられる充電装置を含み、前記移動電源本体は、接続構造によりゲーム画面の底部に取り付けられることにより前記電源に電気的接続されて前記電源に充電する。
【考案の効果】
【００１４】
従来の技術に比較すると、本考案により提供されるモバイル端末に用いられる充電装置は、移動電源本体よりモバイル端末に充電することで、モバイル端末の使用時間を長くし、移動電源本体に、移動電源と取り外し可能に接続するための接続構造が設けられ、二つのコントローラーがそれぞれ移動電源本体の両端に設けられて組み合わせることで、ユーザが移動中に使用する場合にも、コントローラーでモバイル端末を操作することができ、モバイル端末の長時間使用がユーザの手首にもたらす不快感を回避する。
【図面の簡単な説明】
【００１５】
【図１】本考案のモバイル端末に用いられる充電装置の構造を示す図である。
【図２】モバイル端末の充電装置の分解図である。
【図３】携帯型ゲーム機の構造を示す図である。
【図４】吸着部材が移動電源本体に取り付けられた状態をある角度から見た時の図である。
【図５】図４の状態を他の角度から見た時の図である。
【図６】コントローラーをある角度から見た時の図である。
【図７】コントローラーを他の角度から見た時の図である。
【考案を実施するための形態】
【００１６】
以下、図面及び実施形態を参照しながら、本発明を詳細に説明する。なお、矛盾しない限り、以下の各実施例または各技術特徴は、任意に組み合わせて新たな実施例を形成することができる。
【００１７】
図１〜７所示に示すように、本考案は、モバイル端末に用いられる充電装置を提供し、モバイル端末に用いられる充電装置は、移動電源本体２０及び二つのコントローラー３０を含み、移動電源本体２０の充電差し込み口２２は、データ線６０を介してモバイル端末１０充電に充電し、モバイル端末１０の使用時間を高め、二つのコントローラー３０は、それぞれ移動電源本体２０の両端に設けられ、移動電源本体２０には、接続構造が設けられ、該接続構造は、移動電源と取り外し可能な接続に用いられ、組み合わせの方式により、ユーザが移動中に使用する場合に、コントローラー３０でモバイル端末１０を操作することができ、モバイル端末１０の長時間使用がユーザの手首にもたらす不快感を回避する。
【００１８】
本実施例の接続構造は、移動電源本体２０の一側面に設けられる吸着部材４０または係止部材であり、好ましくは、接続構造は、吸着部材４０であり、移動電源本体２０の上面には、取付溝２３が設けられ、吸着部材４０は、移動電源本体２０ケースの取付溝２３内に設けられ、モバイル端末の充電装置は、吸着部材４０によりモバイル端末１０の底部に吸着され、モバイル端末に用いられる充電装置とモバイル端末１０との取り外し可能な接続を実現し、本実施例における吸着部材４０は、間を置いて設けられ且つ矩形構造に配列される複数の吸盤４１を含み、複数の吸盤４１は、モバイル端末１０の底部に吸着される。
【００１９】
好ましい実施形態として、二つのコントローラー３０は、それぞれ取り外し可能に移動電源本体２０の両端に取り付けられ、モバイル端末に用いられる充電装置は、組み合わせの方式により設けられることで、異なる形状のコントローラー３０の取り替えが有利になる。
【００２０】
コントローラー３０と移動電源本体２０のうちの一方には、摺動レール３１が設けられ、コントローラー３０及び移動電源本体２０のうちの他に一方には、摺動レール３１と摺動するように組み合わせる摺動溝２１が設けられ、好ましくは、本実施例において、コントローラー３０の一側に摺動レール３１が設けられ、移動電源本体２０の一側に摺動レール３１と摺動するように組み合わせる摺動溝２１が設けられ、二つのコントローラー３０を取り外すように、摺動レール３１は摺動溝２１に摺接され、モバイル端末に用いられる充電装置の使用範囲を高めると共に、移動電源本体２０がコントローラー３０の無い場合にも、モバイル端末１０に吸着されて使用することができ、ユーザの短時間の使用要求を満たし、該組み合わせ方式も一つの実施形態である。
【００２１】
摺動レール３１の挿入端には、上挿入部３１２及び下挿入部３１３が設けられ、上挿入部３１２及び下挿入部３１３は、摺動レール３１の長さ方向にそって延伸するように設けられ、上挿入部３１２と下挿入部３１３との間には、摺動レール３１を摺動溝２１に挿入するようにする隙間があり、本実施例において、上挿入部３１２と下挿入部３１３の頂端が共に丸み付けられることで、上挿入部３１２と下挿入部３１３が摺動溝２１に迅速に挿入される。
【００２２】
好ましい実施形態として、摺動レール３１の両外側面には、定位溝３１１が設けられ、摺動溝２１の両内側面には、定位溝３１１と係合する定位突起が設けられ、定位突起が定位溝３１１に係合されることで、摺動レール３１の摺動溝２１から脱離を防止する。
【００２３】
好ましい実施形態として、摺動レール３１の尾端には、位置限定部３４が設けられ、位置限定部３４は、摺動レール３１の側面に突出して設けられ、摺動溝２１内には、摺動溝２１の底面に凹設されるカード溝が設置され、位置限定部３４は、カード溝に挿入される。
【００２４】
本実施例において、コントローラー３０は、磁力吸着構造５０を介して移動電源本体２０を吸着接続し、摺動レール３１の摺動溝２１からの脱離を更に防止し、ユーザの組み合わせの自由度に利便性を提供する。
【００２５】
磁力吸着構造５０は、摺動レール３１に設けられる第一磁力吸着体５１及び第一摺動溝２１内に設けられる第二磁力吸着体５２を含み、第二磁力吸着体５２と第一磁力吸着体５１とは磁性が相異し、第一磁力吸着体５１及び/または第二磁力吸着体５２は磁石であり、第一磁力吸着体５１が摺動レール３１の一端に設けられ、位置限定部３４には、第一収納溝が設けられ、第一収納溝は、横に向いて位置限定部３４が凹設され、第一磁力吸着体５１は、第一収納溝内に取り付けられ、第二磁力吸着体５２は、摺動溝２１の一端に設けられ、カード溝の底面には、第二収納溝が設けられ、第二収納溝は、横に向いてカード溝の底面に凹設され、第二磁力吸着体５２は、第二収納溝内に取り付けられ、第一磁力吸着体５１と第二磁力吸着体５２とは自動的にお互いに吸引する。
【００２６】
本実施例において、二つのコントローラー３０には、共に係止部３２が設けられ、二つの係止部３２と移動電源本体２０の一側面が取り囲んで挟持キャビティを形成し、該挟持キャビティによりモバイル端末１０を挟持することで、モバイル端末１０の移動電源本体２０からの脱離を防止する。
【００２７】
係止部３２には、シリコーンパッド３３が更に凸設され、該シリコーンパッド３３によりモバイル端末１０の挟持された時の安定性を調節することで、モバイル端末１０の挟持キャビティ内での回転を防止する。好ましくは、各係止部３２のシリコーンパッド３３の数は二つであり、二つのシリコーンパッド３３は、それぞれ係止部３２の前後の両側に設けられることで、モバイル端末１０と挟持キャビティの底面の間の摩擦力を減少する。本実施例における吸盤４１もシリコーン材質から製作され、シリコーンの弾性により、移動電源本体２０が吸着されているモバイル端末１０の左右の両端と、二つのコントローラー３０とを常に同一平面上に保持することを確保することで、モバイル端末に用いられる充電装置が人間工学的にフィットする。
【００２８】
従って、本考案により提供されるモバイル端末に用いられる充電装置において、移動電源本体２０によりモバイル端末１０に充電することで、モバイル端末１０の使用時間を延長し、移動電源本体２０に移動電源と取り外し可能に接続するための接続構造が設けられ、二つのコントローラー３０がそれぞれ移動電源本体２０の両端に設けられ、それを組み合わせることで、ユーザが移動中に使用する場合にも、コントローラー３０でモバイル端末１０を操作することができ、モバイル端末１０の長時間使用がユーザの手首を与える影響を回避する。
【００２９】
本考案は、携帯型ゲーム機を更に提供し、該携帯型ゲーム機は、電源、二つのキーボード１１、ゲーム画面１２及び前記モバイル端末に用いられる充電装置を含み、移動電源本体２０は、接続構造を介してゲーム画面１２の底部に取り付けられて電源に電気的に接続され、移動電源本体２０が電源に充電することができる。
【００３０】
前述の実施形態は、本考案の好ましい実施形態であり、本考案の保護範囲を限定するためのものではない。当業者が本考案に基づいて行う変更や修飾も本考案の保護範囲に属すべきてある。
【符号の説明】
【００３１】
１０、モバイル端末
１１、キーボード
１２、ゲーム画面
２０、移動電源本体
２１、摺動溝
２２、充電差し込み口
２３、取付溝
３０、コントローラー
３１、摺動レール
３１１、定位溝
３１２、上挿入部
３１３、下挿入部
３２、係止部
３３、シリコーンパッド
３４、位置限定部
４０、吸着部材
４１、吸盤
５０、磁力吸着構造
５１、第一磁力吸着体
５２、第二磁力吸着体
６０、データ線
【図１】
0003219062.tif 000003
【図２】
0003219062.tif 000004
【図３】
0003219062.tif 000005
【図４】
0003219062.tif 000006
【図５】
0003219062.tif 000007
【図６】
0003219062.tif 000008
【図７】
0003219062.tif 000009
【手続補正書】
【提出日】平成30年9月26日(2018.9.26)
【手続補正１】
【補正対象書類名】実用新案登録請求の範囲
【補正対象項目名】全文
【補正方法】変更
【補正の内容】
【実用新案登録請求の範囲】
【請求項１】
モバイル端末に用いられる充電装置であって、
前記充電装置は、モバイル端末に充電する移動電源本体、及びそれぞれ前記移動電源本体の両端に設けられる二つのコントローラーを含み、前記移動電源本体には、前記モバイル端末に取り外し可能に接続するための接続構造が設けられる、ことを特徴とする充電装置。
【請求項２】
前記接続構造は、前記移動電源本体の一側面に設けられる吸着部材または係止部材であることを特徴とする請求項１に記載の充電装置。
【請求項３】
二つの前記コントローラーは、それぞれ前記移動電源本体の両端に取り外し可能に取り付けられることを特徴とする請求項１に記載の充電装置。
【請求項４】
前記コントローラーと移動電源本体のうちの一方には、摺動レールが設けられ、前記コントローラーと移動電源本体のうちの他方には、前記摺動レールと摺動するように組み合わせる摺動溝が設けられることを特徴とする請求項３に記載の充電装置。
【請求項５】
前記摺動レールの両外側面には、定位溝が更に設けられ、前記摺動溝の両内側面には、前記定位溝と係合される定位突起が更に設けられ、前記定位突起は、前記定位溝に係合されることを特徴とする請求項４に記載の充電装置。
【請求項６】
前記コントローラーは、更に磁力吸着構造を介して前記移動電源本体に吸着接続されることを特徴とする請求項４に記載の充電装置。
【請求項７】
前記磁力吸着構造は、前記摺動レールに設けられる第一磁力吸着体、及び前記摺動溝内に設けられる第二磁力吸着体を含むことを特徴とする請求項６に記載の充電装置。
【請求項８】
前記第一磁力吸着体は、前記摺動レールの一端に設けられ、前記第二磁力吸着体は、前記摺動溝の一端に設けられ、及び/又は、
前記第一磁力吸着体及び/又は前記第二磁力吸着体は磁石であることを特徴とする請求項７に記載の充電装置。
【請求項９】
二つの前記コントローラーには、共に係止部が設けられ、二つの前記係止部と前記移動電源本体の一側面とが取り囲んで前記モバイル端末を挟持する挟持キャビティが形成され、前記係止部には、シリコーンパッドが更に設けられることを特徴とする請求項１に記載の充電装置。
【請求項１０】
電源、キーボード、ゲーム画面を含む携帯型ゲーム機であって、
前記携帯型ゲーム機は、更に、請求項１〜９のいずれか１項に記載のモバイル端末に用いられる充電装置を含み、前記移動電源本体は、接続構造によりゲーム画面の底部に取り付けられることにより前記電源に電気的接続されて前記電源に充電することを特徴とする携帯型ゲーム機。